(57)【要約】      （修正有）【課題】ディスクにおける記録面がピックアップに当ってしまう障害を有効に防止できるディスク装置を提供する。【解決手段】ターンテーブル用シャーシ２０の裏面側にピックアップ用シャーシ４０を配置し、ピックアップ３０をターンテーブル用シャーシ２０の表面に突出させ、ピックアップ３０をディスクに対して非接触状態で走査するディスク装置において、ターンテーブル用シャーシ２０におけるディスクの非記録面に対向する位置に開口部を形成し、ピックアップ用シャーシ４０に受け部５０を設け、この受け部５０を、開口部を通してターンテーブル用シャーシ２０の表面に突出させ、ディスクの傾きを非記録面において受け部５０が受けて阻止する。【選択図】図１
2008077803.tif 000002
【特許請求の範囲】
【請求項１】
ターンテーブル用シャーシの裏面側にピックアップ用シャーシを配置し、該ピックアップ用シャーシに設けられピックアップベースに備えられたピックアップを該ターンテーブル用シャーシの表面に突出させ、該ピックアップベースを該ターンテーブル用シャーシに設けられたターンテーブルに装着されているディスクに対して非接触状態で径方向に移動させて該ディスクの記録面を走査するディスク装置において、
前記ターンテーブル用シャーシにおける前記ディスクの最外周の非記録面に対向する位置に形成した開口部と、
前記開口部を通して前記ターンテーブル用シャーシの表面に突出し、この突出した位置で前記ディスクの非記録面に対向した受け面を有する前記ピックアップ用シャーシに設けられた受け部と、を備え、
前記受け部と前記ターンテーブルとの高さは、前記ターンテーブルと前記ピックアップベースの高さに応じることを特徴とするディスク装置。
【請求項２】
前記受け部は、前記ピックアップに対し前記ディスクの回転方向に沿って上流側と下流側に配置したことを特徴とする請求項１に記載のディスク装置。
【請求項３】
前記受け部は、前記ピックアップ用シャーシと同一材料によって一体成型によって形成されていることを特徴とする請求項１または請求項２に記載のディスク装置。
【発明の詳細な説明】
【技術分野】
【０００１】
本発明は、ターンテーブルに装着されているディスクに対してピックアップを非接触状態で径方向に移動させ、該ディスクの記録面を走査するディスク装置に係り、ディスクの記録面がピックアップに当たって損傷してしまうことを防止するディスク装置に関する。
【背景技術】
【０００２】
ディスク装置としては、例えば、レーザービームを用いた光学的な記録または再生を行うものが広く普及している。記録媒体としてのディスクは、高速に回転するターンテーブルに装着されている。ディスク装置は、高速回転するディスクに対し非接触状態で配置されたピックアップを有し、このピックアップをディスクの径方向に移動して記録面の走査を行うものである。
【０００３】
この種のディスク装置は、ディスクが回転軸方向に強い衝撃を受けると傾くことがある。このようにディスクが傾くと記録面がカバーや本体シャーシに取り付けたベースに接して記録面が破損し、記録面に記録されたデータが破壊されてしまう。
【０００４】
そこで、従来においては、例えば、下記の特許文献１（特開平１０−１０６２４８号公報）で示す技術が提案されている。この従来技術は、本体に対して摺動するディスク装着用のトレーを設けたディスク装置において、ディスクの情報記録面を保護するものである。具体的には、ディスクが傾くと最外周にある未記録領域に摺接する凸部をトレー上に設けたものである。このようにして、ディスクが傾いてベースに当たる前に凸部に当接させてそれ以上に傾かないように規制し、記録面の破損を防止している。
【０００５】
また、他の従来のディスク装置においては、ターンテーブルを取り付けたターンテーブル用シャーシと、ピックアップを取り付けたピックアップ用シャーシとが一体に組み付けられて構成されているものがある。ピックアップ用シャーシはターンテーブル用シャーシの裏面に配されている。そして、ピックアップ用シャーシに取り付けられたピックアップはターンテーブル用シャーシに形成した開口部に臨まされている。
【０００６】
そこで、上記他の従来技術のディスク装置は、ディスクの最外周にある非記録面に対向するターンテーブル用シャーシ上に前記凸部を設け、ディスクが傾いてもピックアップに当たらないようにしている。
【特許文献１】特開平１０−１０６２４８号公報（段落［００７８］〜、段落［００８１］、段落［００８８］）
【発明の開示】
【発明が解決しようとする課題】
【０００７】
しかしながら、上述した従来技術においては、ピックアップを取り付けたシャーシ、トレーなどはターンテーブル用シャーシと独立にディスク装置に組み込まれていた。そのため、トレーやターンテーブル用シャーシに設けられた凸部は、ピックアップに対する位置が組み立て誤差、部品のばらつき、各部材の経年変化などにより設計値と大きく相違することがある。従って、凸部のディスクに当接する位置が大きく後退して、ディスクの傾きを規制することが不可能になることがある。
【０００８】
このようなディスク装置においては、衝撃などによってディスクが傾きピックアップに当たってしまうので、記録面が破損することを防止できないという問題点があった。そこで、凸部を十分に突出させてディスクの傾きを積極的に阻止しようとすると、ディスクが正常に回転している状態で凸部に接触してしまい、記録または再生が不可能になってしまう。
【０００９】
特に、ディスク装置が薄型化されている現状では、ピックアップとディスクとの距離が小さくなっているため、別部材であるターンテーブル用シャーシとピックアップ用シャーシとの位置関係を最良な状態に調整して組み込むことは極めて困難なことであった。
【００１０】
そこで、本発明は、上述したような従来の問題点を解消してディスクにおける記録面の保護を効果的に行うことができるディスク装置を提供することを目的とする。
【課題を解決するための手段】
【００１１】
前記課題を解決するために、本願の請求項１に係る発明は、ターンテーブル用シャーシの裏面側にピックアップ用シャーシを配置し、該ピックアップ用シャーシに設けられピックアップベースに備えられたピックアップを該ターンテーブル用シャーシの表面に突出させ、該ピックアップベースを該ターンテーブル用シャーシに設けられたターンテーブルに装着されているディスクに対して非接触状態で径方向に移動させて該ディスクの記録面を走査するディスク装置において、
前記ターンテーブル用シャーシにおける前記ディスクの最外周の非記録面に対向する位置に形成した開口部（例えば、開口部２０３、２０４）と、
前記開口部を通して前記ターンテーブル用シャーシの表面に突出し、この突出した位置で前記ディスクの非記録面に対向した受け面を有する前記ピックアップ用シャーシに設けられた受け部と、を備え、
前記受け部と前記ターンテーブルとの高さは、前記ターンテーブルと前記ピックアップベースの高さに応じることを特徴とする。
【００１２】
また、本願の請求項２に係る発明においては、請求項１に係るディスク装置において、前記受け部は、前記ピックアップに対し前記ディスクの回転方向に沿って上流側と下流側に配置したことを特徴とする。
【００１３】
また、本願の請求項３に係る発明においては、請求項１または請求項２に係るディスク装置において、前記受け部は、前記ピックアップ用シャーシと同一材料によって一体成型によって形成されていることを特徴とする。
【発明の効果】
【００１４】
本発明は、上述した解決手段により以下に述べる通りの優れた効果を奏する。即ち、本願の請求項１に係る発明によれば、前記ディスクが前記ピックアップに異常に接近したときに、前記ピックアップ用シャーシに設けた前記受け部の受け面で前期ディスクの非記録面を受けるようにしたので、前記ディスクが前記ピックアップの上面に当たることがない。しかも、前記ピックアップと前記受け部とは直接に一体化されているので、前記ピックアップの位置と前記受け面の位置との関係は、組み立て誤差、部品のバラつきなどの影響を受けない。
【００１５】
そのため、特に多量生産において、前記ピックアップの位置と前記受け面の位置との関係にバラつきをなくし、前記ディスクの傾きによる前期ピックアップに当接する事故を確実に防止できるディスク装置を提供できる。
【００１６】
また、本願の請求項２に係る発明によれば、請求項１に係るディスク装置において、前記ピックアップに対する前記ディスクの回転方向の前後において、前記受け部が前記ディスクを受けるように配置されているので、前記ディスクが傾いても記録面の前記ピックアップの上面への当接を確実に防止できる。
【００１７】
また、本願の請求項３に係る発明によれば、請求項１または請求項２に係るディスク装置において、前記受け部は、前記ピックアップ用シャーシと同一材料によって一体成型によって形成されるものであるから、前記ピックアップに対する位置が正確な前記受け部を簡単に形成することができる。
【発明を実施するための最良の形態】
【００１８】
以下、本発明の具体例を実施例及び図面を用いて詳細に説明する。但し、以下に示す実施例は、本発明の技術思想を具体化するためのディスク装置を例示するものであって、本発明をこの実施例のディスク装置に特定することを意図するものではなく、特許請求の範囲に含まれるその他の実施形態のディスク装置にも等しく適用し得るものである。
【実施例】
【００１９】
以下、本発明の実施例について図面を参照して説明する。図１は本発明の実施例におけるディスク装置の要部を示す斜視図、図２は図１におけるターンテーブル用シャーシを示す斜視図、図３は図１におけるピックアップ用シャーシを示す斜視図、図４は本発明の実施例における受け部とディスクとの関係を示す側面図である。
【００２０】
図１で示すように、ディスク装置の要部１は、ターンテーブル１０を取付けたターンテーブル用シャーシ２０と、ピックアップ３０を取付けたピックアップ用シャーシ４０とが一体に組み付けられて構成されている。ターンテーブル用シャーシ２０は、合成樹脂製のシャーシ２０１と金属製のフレーム２０２とを一体に組みつけられて構成されている。一方、ピックアップ用シャーシ４０は合成樹脂の材料を成型することによって形成されている。
【００２１】
ターンテーブル用シャーシ２０とピックアップ用シャーシ４０との組み付けは、ターンテーブル用シャーシ２０の裏面にピックアップ用シャーシ４０を配してかしめとネジ止めによって行われている。
【００２２】
ターンテーブル用シャーシ２０とピックアップ用シャーシ４０とが組み付けられて構成された要部１は、ディスク装置の基体（図示せず）に取り付けられている。ターンテーブル１０には、ディスクを密着して装着するための装着面１０１が設けられている。また、ターンテーブル１０にはディスクを回転させるためのモータ（図示せず）が連結されている。
【００２３】
ターンテーブル用シャーシ２０には、ターンテーブルに１０に装着されたディスクの半径方向に、ターンテーブル１０に隣接した位置からディスクの外周縁に対向する位置まで大きく開口した開口部２０３が形成されている。また、ターンテーブル用シャーシ２０の開口部２０３に隣接したディスクの外周縁に対向する位置に小さな開口部２０４が形成されている。
【００２４】
ピックアップ３０は、基部３０１と、対物レンズ３０２と、基部３０１の上面に設けた対物レンズ３０２を保護するためのプレート３０３と、基部３０１の一辺に形成したネジ孔３０４と、基部３０１の他辺に形成したガイド溝３０５とから構成されている。
【００２５】
ピックアップ用シャーシ４０側には、ネジ孔３０４に螺合するリ−ドスクリュー３０６と、ガイド溝３０５に遊嵌するガイドシャフト３０７と、リードスクリュー３０６に連結されたピックアップ駆動用モータ３０８とが備えられている。
【００２６】
基部３０１は、ピックアップ用シャーシ４０に対しリードスクリュー３０６の回転によって直線的に移動される。この移動動作はガイドシャフト３０７によってピックアップ用シャーシ４０の面に対し平行にガイドされる。
【００２７】
ピックアップ用シャーシ４０におけるディスクの外周縁に対向する位置には、受け部５０が設けられている。この受け部５０は２箇所に設けられており、一方の設置箇所は開口部２０３の端に、他方の設置箇所は開口部２０４に対応する位置である。また、これらの受け部５０の位置は、ピックアップ３０に対してディスクの回転方向に沿って上流側と下流側にある。
【００２８】
ターンテーブル用シャーシ２０とピックアップ用シャーシ４０との組み付けは、先に述べたように、ターンテーブル用シャーシ２０の裏面にピックアップ用シャーシ４０を配してかしめとネジ止めによって行われている。このネジ止めにおいてはバネあるいは弾性座金（図示せず）を用いて行うように構成されており、バネあるいは弾性座金を用いてターンテーブル用シャーシ２０に設けられたターンテーブル１０とピックアップ用シャーシ４０に設けられたピックアップ３０との位置関係を調整して組み付ける。この時、受け部５０はピックアップ用シャーシ４０に同一材料によって一体成型によって形成されているから、ピックアップ３０に対する受け部５０の位置関係も同時に調整される。
【００２９】
受け部５０は、図４で詳しく示されているように、ピックアップ用シャーシ４０と同一材料の合成樹脂によって一体成型によって形成されている。そして、受け部５０の先端部分がターンテーブル用シャーシ２０の表面から突出され、この先端部分にディスク６０の最外周の非記録面６０１に対向する位置に形成された受け面５０１が設けられている。この受け面５０１は、図４（a)で詳しく示すように、ピックアップ３０の上面と正常に装着されているディスク６０の下面との間に位置されている。
【００３０】
換言すれば、図４（a）で示すディスク６０が正常な装着状態では、受け面５０１はディスク６０の非記録面６０１から離れた位置にある。一方、図４（ｂ）で示すようにディスク６０が傾いた状態になると、ディスク６０の記録面６０２がピックアップ３０に当たる前に非記録面６０１が受け面５０１に当るようになっている。
【００３１】
上述した本発明の実施例によるディスク装置の動作を説明する。ターンテーブル用シャーシ２０とピックアップ用シャーシ４０が組み付けられた状態で、受け部５０の受け面５０１が開口部２０３、２０４を通してターンテーブル用シャーシ２０の表面上に突出されている。図４（a）で示すように、ディスク６０がターンテーブル１０の装着面１０１に正確に装着されている場合には、ディスク６０の非記録面６０１は受け面５０１から離れている。そして、ピックアップ３０は回転しているディスク６０の記録面６０２を走査する。また、トラックをアクセスする走査は、ピックアップ３０がピックアップ駆動用モータ３０８によりディスク６０の径方向に移動されることによって行われる。
【００３２】
一方、対物レンズ３０２は記録または再生の開始と同時にディスク６０の記録面６０２に対して接近して最適なフォーカス状態をとるように制御される。そして、対物レンズ３０２が記録面６０２と所定の間隔を置いて光学的な記録または再生を行う。
【００３３】
この記録または再生中に、ディスク６０が何らかの衝撃を受けて傾いてしまったときには、図４（ｂ）に示すようにディスク６０がピックアップ３０に接近する。このディスク６０の接近によって、記録面６０２がピックアップ３０に当ろうとするが、その前に、ディスク６０の非記録面６０１が受け部５０の受け面５０１に当る。そのため、ディスク６０の傾きは、記録面６０２がピックアップ３０に当る前に阻止される。
【００３４】
ディスク６０は、衝撃を受けて傾くこともあるが、装着面１０１に正確に装着されない状態で回転されてしまう場合にも傾く。また、ディスク６０が撓んでしまっている場合においても記録面６０２がピックアップ３０に異常に接近してしまうことがある。これらの場合であっても、受け部５０はディスク６０がピックアップ４０に当ることを阻止する。
【００３５】
上述した本発明の実施例によれば、ディスク６０が衝撃などを受けてピックアップ３０に異常に接近したときに、ピックアップ用シャーシ２０に設けた受け部５０の受け面５０１でもってディスク６０の非記録面６０１を受けるようにしたので、ディスク６０がピックアップ３０の上面に当たることがない。その結果、記録面６０２がピックアップ３０によって損傷されることがない。特に、ディスク６０の記録面６０２はピックアップ３０上のプレート３０３に最も接近するが、受け部５０がプレート３０３への当接を阻止する。
【００３６】
ピックアップ３０と受け部５０とは、ピックアップ用シャーシ４０に直接に設けられているので、組み立て誤差、部品のばらつきなどの影響を受けず、予定とおりの位置に配置される。特に、薄型のディスク装置においては、多くの調整作業を行うことなく、受け面５０１が突出し過ぎたり後退し過ぎたりせずに最適な状態に位置される。
【００３７】
また、ピックアップ３０に対するディスク６０の回転方向の前後の接近した箇所には、夫々受け部５０が配置されているので、ディスク６０が傾いても記録面６０２のピックアップ３０への当接を有効に防止できる。更に、受け部５０は、合成樹脂を材料としてピックアップ用シャーシ４０と一体に成型して形成するので、高精度のものを多量に生産できる。
【図面の簡単な説明】
【００３８】
【図１】本発明の実施例におけるディスク装置の要部を示す斜視図である。
【図２】図１におけるターンテーブル用シャーシを示す斜視図である。
【図３】図１におけるピックアップ用シャーシを示す斜視図である。
【図４】本発明の実施例における受け部とディスクとの関係を示す側面図であり、図４（ａ）はディスクが正常な状態を示す図、図４（ｂ）はディスクが何らかの要因により傾いた状態を示す図である。
【符号の説明】
【００３９】
１              要部
１０            ターンテーブル
２０            ターンテーブル用シャーシ
３０            ピックアップ
４０            ピックアップ用シャーシ
５０            受け部
６０            ディスク
１０１          装着面
２０１          シャーシ
２０２          フレーム
２０３          開口部
２０４          開口部
３０１          基部
３０２          対物レンズ
３０３          プレート
３０４          ネジ孔
３０５          ガイド溝
３０６          リードスクリュー
３０７          ガイドシャフト
３０８          ピックアップ駆動用モータ
５０１          受け面
６０１          非記録面
６０２          記録面
【図１】
2008077803.tif 000003
【図２】
2008077803.tif 000004
【図３】
2008077803.tif 000005
【図４】
2008077803.tif 000006